(57)【要約】【課題】本発明は、これまでコンテンツ、ネットショッピング、ネット広告のサービスを提供する事が出来なかった小売店で、上記のサービスを提供するため、簡単に通知装置を特定でき、簡単に操作できるシステムを形成する事を目的とする。【解決手段】上記目的を達成するため、本発明の請求項１記載のＵＲＬ作成装置は、ユーザーにコンテンツ配信するため、独自のＵＲＬを外部端末に通知する「ＵＲＬ作成装置」を認識するプログラムであって、コンテンツが保存されているサーバのＵＲＬと「前記ＵＲＬ作成装置」に記憶されているＧＰＳの情報、ＩＰアドレスの情報、ＳＩＭカードの情報、電子マネーの認証情報を組み合わせて、独自のＵＲＬを自動的に作成するＵＲＬ作成装置であり、独自のＵＲＬを作成後、外部端末が前記ＵＲＬを記憶するため出力する構成としてある。【選択図】図５
2011108214.tif 000002
【特許請求の範囲】
【請求項１】
ユーザーに対してコンテンツを配信するため、独自のＵＲＬを外部端末に通知する「ＵＲＬ作成装置」を認識するプログラムであって、コンテンツが保存されているＷｅｂサイト、または外部サーバのＵＲＬと「前記ＵＲＬ作成装置」に記憶されているＧＰＳの情報、ＩＰアドレスの情報、ＳＩＭカードの情報、電子マネーの認識情報を組み合わせて、独自のＵＲＬを自動的に作成するＵＲＬ作成装置。
【発明の詳細な説明】
【技術分野】
【０００１】  本発明は、ユーザーにコンテンツを配信するため、独自のＵＲＬを外部端末に通知する「ＵＲＬ作成装置」を認識するプログラムであって、コンテンツが保存されているサーバのＵＲＬと「前記ＵＲＬ作成装置」に記憶されているＧＰＳの情報、ＩＰアドレスの情報、ＳＩＭカードの情報、電子マネーの認証情報を組み合わせて、独自のＵＲＬを自動的に作成するＵＲＬ作成装置に関する。
【背景技術】
【０００２】  近年、携帯端末でコンテンツを入手するには、携帯端末で検索するか、送信される広告情報によってユーザーが入手している。【０００３】
【先行技術文献】
【特許文献】
【特許文献１】特開２００４−３１０２６９号公報
【０００４】
【非特許文献】
【非特許文献１】ｈｔｔｐ：／／ｗｗｗ．ｒｙｕｔｕ．ｉｎｐｉｔ．ｇｏ．ｊｐ／ｄｂ／ｉｎｄｅｘ．ｈｔｍｌ＃〈ライセンス番号〉：Ｌ２００９００４９５０
〈タイトル〉：リライトカードを利用した携帯コンテンツ配信システム
〈登録日〉：２００９年８月２１日
〈最新更新日〉：２００９年９月４日
【発明の概要】
【発明が解決しようとする課題】
【０００５】  コンテンツ、ネットショッピング、ネット広告を検索やネット以外の方法で提供することは、これまで不可能であった。また、外部端末にネットを通じて得た情報を送ることは出来ても、通知装置を特定する事が出来なかった。特に、特開２００４−３１０２６９号公報の場合、パスワードをＵＲＬに加える為、複数の外部端末に１つの情報送信装置からコンテンツを提供するということが出来ない。【０００６】  本発明は、これまでコンテンツ、ネットショッピング、ネット広告のサービスを提供する事が出来なかった小売店で、上記のサービスを提供するため、簡単に通知装置を特定でき、簡単に操作できるシステムを形成する事を目的とする。
【課題を解決するための手段】
【０００７】  上記目的を達成するため、本発明の請求項１記載のＵＲＬ作成装置は、ユーザーにコンテンツ配信するため、独自のＵＲＬを外部端末に通知する「ＵＲＬ作成装置」を認識するプログラムであって、コンテンツが保存されているサーバのＵＲＬと「前記ＵＲＬ作成装置」に記憶されているＧＰＳの情報、ＩＰアドレスの情報、ＳＩＭカードの情報、電子マネーの認証情報を組み合わせて、独自のＵＲＬを自動的に作成するＵＲＬ作成装置であり、独自のＵＲＬを作成後、外部端末が前記ＵＲＬを記憶するため出力する構成としてある。【０００８】  ＵＲＬ作成装置を上記構成にすれば、ＵＲＬ作成装置を認識でき、ＵＲＬ作成装置から出力されるコンテンツのＵＲＬを複数の外部端末に何回でも記憶させることができ、１つのＵＲＬ作成装置から出力した一回の手段で、複数の広告、コンテンツ配信、通信販売の効果を齎す事が出来る。すなわち、１つのＵＲＬ作成装置が出力したコンテンツのＵＲＬを、複数のクライアントが利用できるため、一般の小売店でコンテンツを販売できるなど、これまでにないビジネスモデルが確立する。さらに、１つのＵＲＬ作成装置から出力されたコンテンツのＵＲＬを経由して記憶された外部端末による広告、コンテンツ配信、通信販売の効果が分かるため、正確なアフェリエイトの情報などを得ることが可能となり、インターネットを直接使わないビジネスモデルが確立する。【０００９】  また、本発明のＵＲＬ作成装置は、ＧＰＳの情報、ＩＰアドレスの情報、ＳＩＭカードの情報、電子マネーの認証情報を、コンテンツ配信に使用するため、単純なパスワードで作成するワンタイムＵＲＬのように他者と認識されてしまうというミスが無くなりセキュリティを高めることが可能となる。さらに、ＵＲＬ作成装置は自動的に独自のＵＲＬを作成するため、クライアントはＵＲＬを取得するための作業を手動で行う必要がない。なお、出力される独自のＵＲＬは、ＱＲコードに変換して、リライトカードに印字したり、モニターに表示したり、またはＩＣチップに送信する手段を使って外部端末に記憶させることができる。
【発明の効果】
【００１０】  本発明によれば、出力された複雑で世界に一つしかないセキュリティの高い独自のＵＲＬを簡単なＱＲコードなどに変換して、リライトカードやモニターに表示することが可能になる。これにより、簡単に外部端末にコンテンツを送ることができ、これまでにないビジネスモデルが確立する。なお、リライトカードを電子マネーとして流通させることも可能である。
【図面の簡単な説明】
【００１１】
【図１】本発明の実施形態のＵＲＬ作成装置の全体構成図である。
【図２】本発明の実施形態のＵＲＬ作成装置で作成されたＵＲＬ例である。
【図３】本発明の実施形態のＵＲＬ作成装置の構成図である。
【図４】本発明の実施形態のＵＲＬ作成装置におけるＵＲＬ作成処理手段を示すフローチャートである。
【図５】本発明の実施形態のＵＲＬ作成装置の構成を示すブロック図である。
【発明を実施するための形態】
【００１２】  以下、本発明の実施形態につき、図面を参照して説明する。
まず、本発明の実施形態の構成について、図１を参照して説明する。同図は、本実施形態のＵＲＬ作成装置の全体構成図である。
【００１３】  図１に示すように、ＵＲＬ作成装置１は、利用者が用いる端末の一例として、ネットワーク３を介して相互にデータの送受信が可能な、外部サーバ２に繋がれている。ＵＲＬ作成装置１は、外部サーバ２から取得したＵＲＬとＵＲＬ作成装置１に内蔵されているＧＰＳの情報、ＩＰアドレスの情報、ＳＩＭカードの情報、電子マネーの認証情報を組み合わせて、独自のＵＲＬを自動的に作成し、接続されているＱＲコードを印字するリライトカードリーダー４、ＩＣカードリーダー５、モニター６を出力装置として独自のＵＲＬを出力する。出力された独自のＵＲＬは、ＱＲコードに変換しＱＲコードを印字したリライトカード７、モニター６、または電波送受信によりＩＣカードリーダー５、ＩＣカード８を利用して、携帯電話機９に独自のＵＲＬを読み込ませ、コンテンツを携帯電話機９の画面上に表示する構成である。
【００１４】  なお、ネットワーク３は、例えば、インターネット、専用通信回線、移動体通信網、及びゲートウェイ等により構築されている。
【００１５】  ＵＲＬ作成装置１は、各種プログラム及びデータ等を記憶する記憶手段の一例としての記憶部と、ネットワーク３に接続して外部サーバ２と、リライトカードリーダー４、ＩＣカードリーダー５、モニター６との通信状態を制御し、本願のＵＲＬ作成手段として機能する通信部（例えば、ネットワークアダプタ等）と、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備えるシステム制御部と、を備えている。
【００１６】  本実施形態のＵＲＬ作成装置１は、ネットワーク３を用いて外部サーバ２に所定の検索条件を送信することで、外部サーバ２が、その検索条件に基づいてユーザーが所望するインターネット上のコンテンツ情報を検索し、当該コンテンツ情報を携帯電話９で表示可能なコンテンツを取得するためのＵＲＬをＧＰＳの情報、ＩＰアドレスの情報、ＳＩＭカードの情報、電子マネーの認証情報と組み合わせて作成し、当該ＵＲＬを携帯電話機９に通知するものである。そして、携帯電話機９は、当該ＵＲＬにて当該ＵＲＬ作成装置１で作成したＵＲＬであることを、外部サーバ２に認識させ、コンテンツを記憶する。
【００１７】  図２は実施形態のＵＲＬ作成装置で作成されたＵＲＬ例であり、２０はＧＰＳの情報「緯度Ｌａｔｉｔｕｄｅと経度Ｌｏｎｇｉｔｕｄｅ」の頭文字と数値を組み合わせて作成した独自のＵＲＬ例である。同じく、２１はＩＰアドレスの情報２５５．２５５．２５５．２５５の数値を利用してｉｐを加えたもの、ドットを外したものを組み合わせて作成した世界に１つしかない独自のＵＲＬを作成する例である。なお、ｉｐを加える例とドットを外す例はＵＲＬ作成時のエラーを防ぐためでもある。同じく２２はＳＩＭカードの情報「１６桁」の数値を組み合わせて作成した世界に１つしかない独自のＵＲＬを作成する例である。同じく２３は電子マネーの認証情報「１９桁」の数値を組み合わせて作成した世界に１つしかない独自のＵＲＬを作成する例である。
【００１８】  作成されるＵＲＬは、プロトコル表示と、ホストサーバー名と、ドメイン名（組織名＋組織種別＋国・地域コード）とディレクトリ名と表示ファイル名の後に＝（イコール）とＧＰＳの情報、ＩＰアドレスの情報、ＳＩＭカードの情報、電子マネーの認証情報を追加して出力する。
【００１９】  図３は本発明の実施形態のＵＲＬ作成装置の構成図であり、ＵＲＬ作成装置Ａの記憶部には、図３に示すように、ＵＲＬ作成装置Ａの位置を示すＧＰＳの情報１１、ＵＲＬ作成装置Ａを識別して、ネットワーク３に接続するための手段として使うＩＰアドレスの情報１２、ＵＲＬ作成装置Ａを識別して、移動体通信網に接続するための手段として使うＳＩＭカードの情報１４、ＵＲＬ作成装置Ａを識別して、ネットショッピングなどの決算をする手段として使う電子マネーの認証情報１３が記憶されている。
【００２０】  ＵＲＬ作成装置Ａを認識する手段として、ＵＲＬ作成装置Ａは、記憶部に記憶された「ＧＰＳの情報、ＩＰアドレスの情報、ＳＩＭカードの情報、電子マネーの認証情報」と、ネットワーク３を通じてＷｅｂサイト１５、または外部サーバのＵＲＬリスト１６などに接続して「記憶されているコンテンツを得るためのＵＲＬ」を組み合わせて「独自のＵＲＬ」を作成する構成になっている。
【００２１】  図４は、本発明の実施形態のＵＲＬ作成装置におけるＵＲＬ作成処理手段を示すフローチャートであり、ＵＲＬ作成プログラム３２ａの動作を示している。ＵＲＬ作成プログラム３２ａは、ＱＲコードを印字するリライトカードリーダー４、ＩＣカードリーダー５、モニター６に独自のＵＲＬを作成して送信するため、通信部３６を使い、外部サーバ１０１からＵＲＬデータ取得（ステップ８００）、ＧＰＳの情報テーブル３０ａからＧＰＳの情報を認識すればＧＰＳの情報認識（ステップ８０１のＹＥＳ）で前記データ取得（ステップ８０５）へ、ＧＰＳの情報を認識しなければ（ステップ８０１のＮＯ）へ、ＩＰアドレスの情報テーブル３０ｂからＩＰアドレスの情報を認識すればＩＰアドレスの情報認識（ステップ８０２のＹＥＳ）で前記データ取得（ステップ８０５）へ、ＩＰアドレスの情報を認識しなければ（ステップ８０２のＮＯ）へ、ＳＩＭカードの情報テーブル３０ｃからＳＩＭカードの情報を認識すればＳＩＭカードの情報認識（ステップ８０３のＹＥＳ）で前記データ取得（ステップ８０５）へ、ＳＩＭカードの情報を認識しなければ（ステップ８０３のＮＯ）へ、電子マネーの認識情報テーブル３０ｄから電子マネーの認識情報を認識すれば電子マネーの認識情報認識（ステップ８０４のＹＥＳ）で前記データ取得（ステップ８０５）へ、外部サーバ１０１から取得したＵＲＬデータと前記データ融合（ステップ８０６）で独自のＵＲＬを作成し、データフレーム作成（ステップ８０７のＹＥＳ）でデータ送信（ステップ８０８）して独自のＵＲＬのデータをリライトカードリーダー４、ＩＣカードリーダー５、モニター６に出力する。
【００２２】  図５は、本発明の実施形態のＵＲＬ作成装置の構成を示すブロック図であり、本実施形態のＵＲＬ作成装置１００は、ＧＰＳ３３、ＳＩＭカード３４、電子マネー３５、ＣＰＵ１０８、通信部３６有し、外部サーバ１０１に通信回線で結ばれている。なお、ＧＰＳ３３、ＳＩＭカード３４、電子マネー３５から各情報をデータベース３０の各テーブルに送る。
【００２３】  本実施形態のＵＲＬ作成装置１００は、外部サーバ１０１からコンテンツを携帯電話９に記憶させる仲介をする装置である。
【００２４】  前記を実施するため、まず外部サーバ１０１にアクセスし、コンテンツの保管されているＵＲＬの情報を記録する。記録されたＵＲＬと、データベース３０に記憶されているＧＰＳの情報テーブル３０ａ、ＩＰアドレスの情報テーブル３０ｂ、ＳＩＭカードの情報テーブル３０ｃ、電子マネーの認識情報テーブル３０ｄのデータを、プログラムメモリー３２に格納されているＵＲＬ作成プログラム３２ａに読み込み、図２のような独自のＵＲＬを作成する。作成された独自のＵＲＬをリライトカードリーダー４、ＩＣカードリーダー５、モニター６に送信しリライトカードリーダー４はＱＲコードに変換してリライトカードに印字、ＩＣカードリーダー５は無線、モニター６はＱＲコードに変換して表示して携帯電話９に外部サーバ１０１のコンテンツを記憶させる。
【００２５】  上記が本発明の効果である。なお、独自のＵＲＬは、ＵＲＬ作成装置１００に接続された外部記憶装置に保有させてもかまわない。また携帯電話９の他、同じような仕様のＰＨＳ、ＰＤＡ、ブックノート等を用いることができる。
【実施例】
【００２６】  本発明である、ＵＲＬ作成装置を利用すれば、スーパー、書店、コンビニ、タクシーなどでもネットビジネスを展開でき、尚且つユーザーは面倒な操作をすることなく、容易且つ迅速に所望のコンテンツを携帯電話機で閲覧することが可能となる。
【符号の説明】
【００２７】１ＵＲＬ作成装置
２外部サーバ
３ネットワーク
４ＱＲコードを印字するリライトカードリーダー
５ＩＣカードリーダー
６モニター
７ＱＲコードを印字したリライトカード
８ＩＣカード
９携帯電話
【図１】
2011108214.tif 000003
【図２】
2011108214.tif 000004
【図３】
2011108214.tif 000005
【図４】
2011108214.tif 000006
【図５】
2011108214.tif 000007